(57)【要約】【課題】スマートフォン端末機で動作するアプリケーションのうち、テレビ番組表が表示されるアプリにおいて、任意のキーワードで検索を可能にする。また検索結果の内から希望するものを選んで、指定時刻に音声やメールをスマートフォン端末に通知するアラート機能を装備する。【解決手段】スマートフォン端末機で動作するアプリケーションのうち、テレビ番組表が表示されるアプリケーションにおいて、「検索機能」「検索が定期的又はその他の時期に自動開始される機能」と「検索結果に基づいて視聴端末機あてに事前設定した必要情報をアラート通知する機能」などを装備したことを特徴とする通信システム。またニュース報道を主体とする上記同様のアプリ通信システムとする。【選択図】図１
0003174525.tif 000002
【実用新案登録請求の範囲】
【請求項１】
アプリケーションとサーバーと携帯型視聴端末機で構成するインターネット通信システムにおいて、
キーワードによる当該アプリケーション内情報の検索機能と、
上記検索条件の保存登録機能と、
上記保存登録条件による検索が上記システム内で定期的又は任意指定の時期又は情報の更新がなされるたびに自動的に開始する機能、
又は端末機で当該アプリケーション起動後に手動操作により開始される機能と、
上記検索結果の内から選択したものに関する必要情報を任意指定の時期に音声又はメール文字等で当該端末機に通知するアラーム機能を装備したアプリケーションと、
当該アプリケーションを配信するサーバーと、
携帯型視聴端末機で構成することを特徴とする通信スシステム。
【請求項２】
アプリケーションの主体がテレビ番組を配信するものであることを特徴とする請求項１に記載の通信システム。
【請求項３】
アプリケーションの主体がニュース報道を配信するものであることを特徴とする請求項１に記載の通信システム。
【考案の詳細な説明】
【技術分野】
【０００１】  本考案は、スマートフォンによるインターネットを利用した通信システムに関するものである。
【背景技術】
【０００２】ＡｎｄｒｏｉｄやｉＰｈｏｎｅに代表されるスマートフォンが普及過程にある現在、スマートフォン端末上で動作する様々なアプリ（アプリケーションの略）が展開されている。これらの検索機能に関して、より便利性の高いサービスが求められている。
【考案の概要】
【考案が解決しようとする課題】
【０００３】その１として、スマートフォン端末機で開いたアプリ内を任意のキーワードで検索可能として、希望するところを素早く探しだせるようにする。その２として、検索結果の中から希望するものを選んで指定時刻に音声やメール画面上で読み取れるメッセージをアラーム通知する機能を装備する。その３として、検索キーワードの保存登録機能を装備することにより、定期的又はアプリ内の情報の更新がなされるたびに自動検索が開始される機能を装備する。また自動検索によりヒットしたものは予め設定されたアラーム条件に従って端末機に自動通知される機能を装備する。
【課題を解決するための手段】
【０００４】携帯型インターネット通信端末機で視聴するアプリ内に、キーワードを条件とする検索機能を設ける。検索の対象は、例えばテレビ番組であれば番組のタイトルや出演者、地名などである。なお検索やアラームの通知は、アプリからの出される命令を受けてサーバー内で行われ、その結果は端末機に送られる。アプリはサーバーに対して各種機能の処理命令を出し、サーバーはこれを実行して結果をアプリに送信するもので、両者は相互交信しながら目的の機能を作用させる。【０００５】また上記検索条件の保存登録機能と、上記保存登録条件による検索が、定期的又は情報の更新がなされるたびに自動的に開始する、又は端末機で当該アプリ起動後に手動操作により開始される機能を装備する。【０００６】また上記検索結果の内から選択したものに関する必要情報を、任意指定の時期に音声またはメール文字等で当該端末機に通知するアラーム機能を装備する。なおアラーム通知機能は、従来技術で装備されている「メール機能」を利用することでも足りるが、他のソフトを使用してもよい。【０００７】なお「必要情報」とは、例えばテレビ番組であれば「番組名と放送開始の時刻」などである。また任意の指定時刻とは「放送開始の１０分前」などである。また随時や定期的に更新される情報を更新あるごとに検索し、検索条件にヒットがあれば端末機に通知するという利用法もある。例としては「気象情報」「ニュース」「宝くじの発表」などである。必要情報は、項目リストから選択して設定できるようにするのが良い。【０００８】上記の機能各種を装備したアプリと、インターネットサーバーと、携帯型のインターネット視聴端末機で構成する通信システムを構築する。【０００９】またアラームにより通知を受けたものが当該端末機で視聴できるものであれば、通知の受信後に当該アプリを自動的に開く機能があってもよい。【００１０】また検索条件は複数となるので条件リストを装備することとして、この中から選択して開始する方法もある。
【考案の効果】
【００１１】アプリ内情報の検索が可能となる。また検索条件の保存登録機能があるため、これを活用して定期的又は随時の情報更新のあるたびの自動検索が可能となる。またこの自動検索と自動アラーム通知の機能により、知りたい情報を早く又適時に知ることができる。
【図面の簡単な説明】
【００１２】
【図１】本考案のシステムの中心的機能であるアプリの機能構成の概要である。
【図２】本考案のシステムが機能発揮するための通信システムの構成図である。
【考案を実施するための最良の形態】
【００１３】キーワードによるアプリ内の検索機能と、検索条件の保存登録機能と、登録済の検索条件による指定時の自動検索及び検索結果による必要な情報を携帯端末機に自動通知する機能を有したアプリをインターネットサーバーにアップロードしておき、このアプリを携帯端末機にインストールして視聴できるよう構成した一連の機器によるシステムを展開する。
【実施例】
【００１４】図１を参照して説明。本システムの効果を発揮するに不可欠な中心的機能をもつアプリの構成を示している。ＴＶ番組表などのコンテンツ表示機能と設定された検索条件によるアプリ内の検索機能及び当該条件の保存登録機能と検索結果一覧の内から選択したものに対する必要情報の端末機へのアラーム通知機能を装備したものとなっている。【００１５】図２を参照して説明。本考案のシステムが機能を発揮するための機器の役割構成をしめしている。アプリはインターネット上のサーバーに置かれ、これを端末機にインストールして視聴するものである。提供される情報内を検索することができると共に、検索結果に基づく必要な情報を端末機にアラーム通知することができるものである。【００１６】本考案を利用するに効果的なアプリの種類としては、定期的又は随時更新される情報のものが望ましい。例えばテレビ番組表やニュース報道のものである。前者の検索条件としては「題名」「出演者名」「事件の名前」「原発」「破産」など、ユーザー個々が関心の高いものとするのが良い。アラームの通知内容としては、音声で知らせたり、メールで「検索キーワードの原発にヒットしました・・・」「ＴＶ番組○○の放送開始１０分前です、チャンネルは６です」などでよい。【００１７】またニュース報道のアプリであれば、例えば検索条件に「原発」や「ユーロ」、好きな芸能人の名前である「ＡＫＢ４８」などをキーワードとして登録しておくことで、ニュースの更新があるたびに自動検索機能が作動して、検索条件がヒットすればその旨をアラーム通知することができる。これらが関係するニュースの新着を早く知ることができる。
【図１】
0003174525.tif 000003
【図２】
0003174525.tif 000004
【手続補正書】
【提出日】平成23年12月28日(2011.12.28)
【手続補正１】
【補正対象書類名】実用新案登録請求の範囲
【補正対象項目名】請求項１
【補正方法】変更
【補正の内容】
【請求項１】
サーバーと携帯型視聴端末機で構成するインターネット通信システムにおいて、該サーバーには、キーワードによる検索機能と、上記検索条件の保存登録機能と、上記保存登録条件による検索が定期的又は任意指定の時期又は情報の更新がなされるたびに自動的に開始する機能、又は端末機で通信起動後に手動操作により開始される機能と、上記検索結果の内から選択したものに関する必要情報を任意指定の時期に音声又はメール文字等で当該端末機に通知するアラーム機能を有するアプリケーションが取り込まれていることを特徴とするインターネット通信システム。
【手続補正２】
【補正対象書類名】明細書
【補正対象項目名】０００２
【補正方法】変更
【補正の内容】
【０００２】  Ａｎｄｒｏｉｄ（登録商標）やｉＰｈｏｎｅ（登録商標）に代表されるスマートフォンが普及過程にある現在、スマートフォン端末上で動作する様々なアプリ（アプリケーションの略）が展開されている。これらの検索機能に関して、より便利性の高いサービスが求められている。